(57)【要約】【課題】  従来の空気調和機の吸込口の配置は、ファンの配置、空気調和機の設置場所等の配慮が不充分であり、空気の吸込み時の空力特性の改善が望まれた。【解決手段】  本発明に係る室内機は、少なくとも筐体の上面に吸込口を形成し、この上面の吸込口を、ファンのモータ接続側でない吸込み口側で、かつ、上面から見てファン及びモータが見えない位置に開口させ、空力特性を改善し、また、上面に開口しても上方からの落下物に対してファン及びモータを保護する。【選択図】        図１
2005172343.tif 000002
【特許請求の範囲】
【請求項１】
全体としてほぼ箱状の筐体と、前記筐体内に収容された熱交換器と、同じく前記筐体内に収容されたファン及びモータと、前記筐体に形成し、外部の空気を吸込む吸込口と、同じく前記筐体に形成し、吸込んだ空気を前記熱交換器で温調後吹出す吹出口とを備え、
前記吸込口を、少なくとも前記筐体の上面に形成し、
前記上面の吸込口を、前記ファンの前記モータの接続側でない吸込み口側で、かつ、前記筐体の上方から見て前記ファン及び前記モータが見えない位置に開口させたことを特徴とする室内機。
【請求項２】
全体としてほぼ箱状の筐体と、前記筐体内に収容された熱交換器と、同じく前記筐体内に収容されたファン及びモータと、前記筐体に形成し、外部の空気を吸込む吸込口と、同じく前記筐体に形成し、吸込んだ空気を前記熱交換器で温調後吹出す吹出口とを備え、
前記筐体の前面に形成した前記吹出口に対して、その後方に前記熱交換器、さらにその後方に、前記ファン及びモータを、モータを中にして二つのファンを横並びに配置し、
また、前記吸込口を、少なくとも前記筐体の上面に形成し、
前記上面の吸込口を、前記二つのファンの前記モータの接続側でないそれぞれの吸込口側で、かつ、前記筐体の上方から見て前記ファン及び前記モータが見えない位置にそれぞれ開口させたことを特徴とする室内機。
【請求項３】
前記上面に形成した前記吸込口に加えて、前記筐体の側面に吸込口を形成し、該吸込口を、前記ファンの前記モータの接続側でなく、吸込口側に対向するように開口させたことを特徴とする請求項１又は請求項２に記載の室内機。
【請求項４】
前記筐体の上面及び側面に形成した吸込口に加えて、さらに、前記筐体の背面及び前記筐体の上面の前記ファン及び前記モータ間で、前記筐体の上方から見て前記ファン及び前記モータが見えない位置に、それぞれ吸込口を開口させたことを特徴とする請求項４に記載の室内機。
【請求項５】
前記吸込口は、前記筐体を形成する板金を打抜き形成したことを特徴とする請求項１〜請求項４のいずれかの請求項に記載の室内機。
【請求項６】
請求項１〜請求項５のいずれかの請求項に記載の室内機と、圧縮機を持つ室外機と、両者を配管接続する冷媒配管とを備えたことを特徴とする空気調和機。
【発明の詳細な説明】
【技術分野】
【０００１】
本発明は、室内機及び空気調和機に関し、特に室内機の吸込口に関するものである。
【背景技術】
【０００２】
従来のこの種の吸込口を持つ空気処理装置には、「通風路１０を有する本体７と、本体７の一部に設けられ複数の孔１９の端部に突起部２０を有する吸込口８と、吸込口８から通風路１０に空気を供給するファン１１と、通風路１０内に設定された空気の処理手段１２と、処理した空気の吹出口９を有する構成とする。」とあり、又「吸込口８に形成する孔１９は本体と一体的に形成し、板材を打抜き等で形成できる。」とある（例えば、特許文献１参照。）。
【特許文献１】特開２０００−２２０８５８号公報（第２頁〜第４頁、図１、図３）
【発明の開示】
【発明が解決しようとする課題】
【０００３】
従来の吸込口は、一箇所で一方向からしか吸い込めないため、空力特性に問題があり、改善が望ましい等の問題点があった。
【０００４】
本発明は、上記のよう課題を解決するためになされたもので、本発明に係る室内機においては、吸込み時の圧損、送風音を低下し、空力特性を向上でき、かつ、上方からの異物の落下に対して、送風機、モータを保護できる吸込口の改善を目的とする。
また、本発明に係る室内機においては、上記の吸込口を安価に作成することを目的とする。
【課題を解決するための手段】
【０００５】
本発明に係る室内機は、少なくとも筐体の上面に吸込口を形成し、この上面の吸込口を、ファンのモータ接続側でない吸込み口側で、かつ、上方から見てファン及びモータが見えない位置に開口させたものである。
【発明の効果】
【０００６】
この発明に係る室内機は、少なくとも筐体の上面に吸込口を形成し、この上面の吸込口を、ファンのモータ接続側でない吸込み口側で、かつ、上方から見てファン及びモータが見えない位置に開口させたので、ファンの吸込み口側に開口した上面の吸込口により、吸込み空気の圧損が低下し、空力特性を改善できる。また、上面に開口しても上方からの落下物に対してファン及びモータを保護することができるという効果も有する。
【発明を実施するための最良の形態】
【０００７】
実施の形態１．
図１は、本発明の実施の形態１における室内機を示すの斜視図であり、図２は、同じく上面図である。
これらの図において、室内機１は、外観は全体としてほぼ箱状の筐体であり、板金製である。筐体内には、前面Ａ側に熱交換器が設置され（図示省略）、この後方で、背面Ｅ側にモータ７を中にして、両側にモータ７により駆動されるファン６、６（本例では、高静圧にでき圧損に対して強いシロッコファン使用）が横一列に設置されている。
また、筐体の前面Ａには、熱交換器で温調した空気を吹出す吹出口（図時省略）が形成されている。一方、吸込口は、背面Ｅに背面吸込口２、左側面Ｃに左側面吸込口３、上面Ｂに上面吸込口４がそれぞれ形成され、上面吸込口４は、モータ側吸込口４ａ、左ファン側吸込口４ｂ、右ファン側吸込口４ｃの３箇所に開口している。これらの吸込口は、筐体を形成する板金から小孔を打抜き形成した小孔の集合体であり、小孔の形状は特に問わないが、正方形、矩形、円形等であり、大きさは最大でも指が挿入できない程度とし、これ以下である。
【０００８】
背面吸込口２は、打抜き板金を着脱可能とし、取り外してダクトを接続できるようにしてもよい、また、小孔を筐体の背面の全面に形成しているが、左右のファン用に分けてもよい。左側面吸込口３は、主として左ファン用であり、左ファンの吸込み口側（モータ接続と反対側）に対向するような位置に開口しており、吸込み空気の圧損を低下し空力特性を改善する。図１では、筐体の右側面Ｄには、右側面吸込口を設けていないが、これは熱交換器の冷媒配管と外部冷媒配管との接続部の設置のためであり、この接続部の設置場所を変更して、筐体の右側面Ｄにも右ファンの吸込み口側（モータ接続と反対側）に対向するような位置を開放して、右側面吸込口を形成すれば、より空力特性の改善となる。
【０００９】
上面吸込口４は、筐体を上方から見たとき、吸込口４の開口から筐体内のモータ７及び左右のファン６、６が見えない位置に設けて、上方からの異物の落下によりモータ７、ファン６が悪影響をうけないようにする。左右ファン側吸込口４ｂ、４ｃは、それぞれ、左右のファン６、６の上方で、吸込み口側となるように設置し、吸込み空気の圧損を低下し空力特性の改善を図る。モータ側吸込口４ａは、モータ７を囲むように設けているが、小孔を打抜きで形成するため、モータ７上を避け、風路形成上効率良い場所に自由に設置できる。これは、左右ファン側吸込口４ｂ、４ｃ及び側面吸込口３も同様である。
このように吸込口をファン６の吸込み口側に設けること及び複数設けることにより、吸込み空気の圧損低下及び送風音の低下により空力特性が改善できる。
また、これらの吸込口を筐体を形成する板金から小孔を打抜き形成したため、望ましい場所に自由に開口できるとともに、加工コストも低減できる。
【００１０】
本室内機１は、天袋内にチャンバーボックスを設け、その中に設置される。そして、室内機１の前面Ａの吹出口を室内側に向けて配置させ、同じく横並びに別の吸込口を室内側に向けて配置、開口させる。また、室内機１は、外部に設置された圧縮機を有する室外機と冷媒配管で接続される。
このような空気調和機は電源投入により、室内機のファン７が駆動し、室内空気を室内側に開口する吸込口から吸込み、チャンバーボックスの風路を経由し、室内機１の背面吸込口２、左側面吸込口３及び上面吸込口４から室内機１に吸込み、熱交換器で温調した後、前面Ａの吹出口から室内に吹出す。
【００１１】
図１、２では、ファン６、６を２個設置しているが、１個でもよい。例えば、図１で左側のファンを１個とした場合は、右ファン側吸込口４ｃはなくてもよい。
また、本実施の形態では、背面吸込口２、側面吸込口（図１の左側面吸込口３の他に、右側面吸込口を設置してもよい）及び上面吸込口４（モータ側吸込口４ａ、左右ファン側吸込口４ａ、４ｂ）を設けたが、吸込口は少なくとも左右ファン側吸込口４ａ、４ｂがあればよい。即ち、吸込口は、図１のようにファン６を２個設置した場合は、少なくとも、それぞれのファン６、６用の上面Ｂに形成した左右ファン側吸込口４ａ、４ｂがあればよく、また、ファン６を１個設置した場合は、少なくともファン６のある側の吸込口４ａ（４ｂ）があればよい。このようにすることで、室内機設置場所である天井等は、左右に空間が制限される場合でも上方の空間はあり、チェンバーボックス等で風路を形成でき、室内機１の上面Ｂの左右ファン側吸込口４ａ、４ｂ、またはファン６のある側の吸込口４ａ（４ｂ）によりファン６の吸込み口側に空気を吸込むことができ、吸込み空気の圧損を低下し空力特性を改善できる。また、風路を形成するチェンバーボックス等の密閉空間の上方からの異物の落下によるモータ７及びファン６の保護もできる。
【００１２】
また、本実施の形態の室内機１は、前記のように天袋内設置、地袋内設置、天井内設置等の設置に適するが、これらの場所に限らず設置され、前記のチャンバーボックス内設置に限定されず（例えば、空気調和機の吸込口と室内機の吸込口をダクトで接続、チャンバーボックスを使用せずに、室内機１の吸込口を直接空気調和機の吸込口とする等）、広く空気調和機の室内機として使用でき、同様に吸込口の空力特性の改善等の効果が得られる。
【００１３】
本実施の形態の室内機１は、筐体内で、ファン６及びモータ７を、前面に形成した吹出口に対して、モータ７を中にして二つのファン６、６を横並びに配置し、また、吸込口４ｂ、４ｃを、少なくとも筐体の上面Ｂに形成し、この上面Ｂの吸込口４ｂ、４ｃを、二つのファン６、６のモータ７の接続側でないそれぞれの吸込口側で、かつ、上方から見てファン６、６及びモータ７が見えない位置にそれぞれ開口させたので、空力特性を改善でき、また上方からの異物の落下によるモータ７及びファン６の保護もできる。
【００１４】
また、本実施の形態の室内機１は、上面に形成した吸込口４ｂ（４ｃ）に加えて、筐体の側面Ｃ（Ｄ）に吸込口３を形成し、該吸込口３を、ファン６のモータ７の接続側でなく、吸込口側に対向するように開口させたので、さらに空力特性が改善される。
【００１５】
また、筐体の上面Ｂ及び側面Ｃ（Ｄ）に形成した吸込口に加えて、さらに、背面Ｅ及び上面Ｂで、ファン６及びモータ７間に、それぞれ吸込口２、４ａを開口させたので、吸込口の数が増え、より一層空力特性が改善される。
【００１６】
また、本実施の形態の室内機１の吸込口４（２、３）は、筐体を形成する板金を打抜き形成したので、望ましい位置に、望ましい大きさに自由に形成でき、さらに低コストで形成できる。
【００１７】
また、本実施の形態の空気調和機は、吸込口として、少なくとも上面Ｂに形成したファン側吸込口４ｂ、（４ｃ）を持つか、さらに加えて側面吸込口３を持つか、さらに加えて吸込口２、４ａを持つか、または、これらの吸込口４ｂ、（４ｃ、３、２、４ａ）を板金の打抜きで形成するかした室内機１と、圧縮機を持つ室外機と、両者を配管接続する冷媒配管とを備えので、上記それぞれの室内機の効果を有する空気調和機が得られる。
【産業上の利用可能性】
【００１８】
本発明の室内機は、空気調和機の室内機として、有効に利用できる。
【図面の簡単な説明】
【００１９】
【図１】本発明の実施の形態１における室内機を示す斜視図である。
【図２】本発明の実施の形態１における室内機を示す上面図である。
【符号の説明】
【００２０】
１  室内機、２  背面吸込口、３側面吸込口、４ａ  上面のファン及びモータ間吸込口、４ｂ、４ｃ  上面のファン側吸込口、６  ファン、７  モータ、Ａ  前面、Ｂ  上面、Ｃ  側面、Ｄ  側面、Ｅ背面。
【図１】
2005172343.tif 000003
【図２】
2005172343.tif 000004